(57)【要約】【課題】機器に対する電源供給がどのような状態であるかを視覚的に瞬時に判別できるような電子機器を提供する。【解決手段】自己電源によるセルフパワー動作と、外部からのケーブルを介した電力供給によるバスパワー動作とを可能とした電子機器であって、機器がセルフパワーにより動作中かバスパワーにより動作中かを判別する判別手段１と、判別手段１が判別した結果を報知する報知手段４とを備えている。【選択図】図１
2006059210.tif 000002
【特許請求の範囲】
【請求項１】
自己電源によるセルフパワー動作と、他の電子機器からの通信ケーブルを介した電力供給によるバスパワー動作とを可能とした電子機器において、
機器がセルフパワー動作中かバスパワー動作中かを判別する判別手段と、上記判別手段が判別した結果を報知する報知手段とを備えている電子機器。
【請求項２】
請求項１において、
上記報知手段は、発光素子で構成され、上記判別手段の判別した結果に応じて、態様を異ならせて発光することを特徴とする電子機器。
【請求項３】
請求項１または２において、
上記報知手段は、上記通信ケーブルを介した通信状態をさらに報知していることを特徴とする電子機器。
【請求項４】
請求項１〜３のいずれかにおいて、
上記ケーブルはＵＳＢ対応のものであり、
機器本体にＵＳＢケーブル接続端子を備えていることを特徴とする電子機器。
【発明の詳細な説明】
【技術分野】
【０００１】
本発明は、セルフパワー動作とバスパワー動作を可能とした電子機器の改良に関するものである。
【背景技術】
【０００２】
従来、ＵＳＢ（Ｕｎｉｖｅｒｓａｌ  Ｓｅｒｉａｌ  Ｂｕｓ）によりホストとスレーブを接続する場合には、スレーブ側装置の電源供給方法として、自己の電源（コンセントや電池）で動作できるようにしたセルフパワー（セルフパワードともいう）による方法と、ＵＳＢケーブルから電力の供給を受けて動作できるようにしたバスパワー（バスパワードともいう）による方法とがある。なお、ＩＥＥＥ  １３９４接続による場合も、同様にセルフパワーとバスパワーがある。
【０００３】
次の特許文献１には、セルフパワー、バスパワーのいずれによる動作も可能としたデータ記憶装置が開示されている。
【０００４】
バスパワーによる電源供給が可能であれば、電源供給のための配線が不要となるため、バスパワーで供給されるような低電力で動作可能な装置については非常に効果的である。また、ファクシミリ装置やコピー装置などでも、印字出力する場合には高い電力が必要でありバスパワーでは不十分であるが、液晶表示部を動作させるだけであれば２．５Ｗ程度のバスパワーで十分であり、このような待機電力としてバスパワーを利用することも可能である。
【特許文献１】特開２００２−２０２８５６号公報
【発明の開示】
【発明が解決しようとする課題】
【０００５】
ところが、上記のように、同一機器においてセルフパワーとバスパワーの使い分けを行う場合、低い電力のバスパワーの供給中に高い電力を必要とする目的が発生したときには、使用しようとしても電力不足で装置は動作せず、利用者は故障と判断してしまうことがある。
【０００６】
本発明はこのような事情を考慮して提案されたもので、その目的とするところは、機器に対する電源供給がどのような状態であるかを視覚的に瞬時に判別できるような電子機器を提供することにある。
【課題を解決するための手段】
【０００７】
上記目的を達成するために、請求項１に記載の電子機器は、自己電源によるセルフパワー動作と、外部からの通信ケーブルを介した電力供給によるバスパワー動作とを可能とした電子機器であって、機器がセルフパワー動作中かバスパワー動作中かを判別する判別手段と、判別手段が判別した結果を報知する報知手段とを備えている。
【０００８】
請求項２では、請求項１において、報知手段が発光素子で構成され、判別手段の判別した結果に応じて態様を異ならせて発光することを特徴とする。
【０００９】
請求項３では、請求項１または２において、報知手段はケーブルを介した通信状態をさらに報知していることを特徴とする。
【００１０】
請求項４では、請求項１〜３のいずれかにおいて、通信ケーブルはＵＳＢ対応のものであり、機器本体にＵＳＢケーブル接続端子を備えていることを特徴とする。
【発明の効果】
【００１１】
請求項１〜４に記載の電子機器では、機器のセルフパワー動作／バスパワー動作を判別して、その結果を報知する構成となっているため、いずれの電源で稼動中かを瞬時に判断することができる。これにより、セルフパワーを必要とするときにセルフパワーが供給されていなければ、それを視覚的に判別できるので、即座にコンセントに接続するなど、機器に対してセルフパワーを供給することができる。
【００１２】
これにより、バスパワー動作時に、セルフパワーを必要とする動作ができないことにより故障と誤判断してしまうようなことがない。
【００１３】
請求項２では、報知手段が２色の発光ダイオード素子で構成されるため、簡易な回路構成で、いずれの電力で動作中であるかを判別可能な電子機器を提供することができる。
【００１４】
また請求項３では、電力供給状態に加えて通信状態も報知しているので、より詳しい状態を把握することができる。バスパワーの供給でＬＥＤ等を点灯、通信中で点滅するようにすれば、１つの報知手段で簡易に報知することができる。
【発明を実施するための最良の形態】
【００１５】
以下に、本発明の実施の形態について、添付図面とともに説明する。以下の実施例では電子機器としてスキャナ付きプリンタ装置（複合機）を示しているが、これに限定されることはなく、ＵＳＢ等のケーブルを介して他の電子機器と通信可能な機器であればよい。
【００１６】
また、以下の実施例ではＵＳＢ対応のものを示しているが、本実施例で示した電力供給状態の報知技術はＩＥＥＥ  １３９４にも適用可能である。
【実施例１】
【００１７】
図１は、本発明の電子機器の要部構成を示すブロック図である。この複合機は、制御手段を形成しているＣＰＵ１と、ＵＳＢの制御を行うためのＵＳＢコントローラ２と、ＵＳＢコネクタ３と、ＬＣＤパネル等の表示部などで構成された報知手段４と、ＡＣ電源や電池電源などのセルフパワーを供給可能とした電源部５とを基本構成として含んでおり、さらに、記録紙に印字を行うプリンタ部６、原稿画像を読み取るスキャナ部７、操作部、ＲＯＭ、ＲＡＭ（以上、不図示）などを備えている。なお、電源部５と他の各部との配線は、図中より省略している。
【００１８】
この複合機はＵＳＢに対応しており、ＵＳＢケーブルＣの一方のプラグに接続され、他方のプラグを接続した他の電子機器（不図示）とデータ通信を可能としている。また、ＵＳＢケーブルＣを介して他の電子機器からバスパワーが供給されることも可能となっており、その電力は、ＵＳＢコネクタ３のＶバス（電源）端子により信号受信している。なお、ＵＳＢコネクタ３は、平衡型の転送信号に対するＤ＋端子、Ｄ−端子と、グランドに対するＧＮＤ端子を備え、プラグアンドプレイに対応している。
【００１９】
上述するように、この複合機はセルフパワーとバスパワーの２つの電力供給が受けられることを可能としている。つまり、コンセントからの電源供給がない場合でも、ＵＳＢケーブルＣを介して他のホスト装置と接続してさえいれば、２．５Ｗ程度の電力で動作可能な構成となっている。
【００２０】
この複合機では、バスパワーのみが供給されているときは、表示部４に対する表示など、微電力でも可能な動作のみが実行できるようになっており、スキャナ７による原稿読取や、プリンタ６による印字出力は高い電圧電力のセルフパワーを必要としている。
【００２１】
本発明の電子機器は、セルフパワー動作中かバスパワー動作中かを判別して、その判別結果を報知するようにしたことを特徴としている。ＣＰＵ１はその判別手段として動作し、報知手段４によってセルフパワー動作かバスパワー動作かが表示される。なお、ＵＳＢケーブルＣが接続されバスパワーにより動作可能な状態であっても、セルフパワーが供給されていれば、機器はセルフパワーにより動作する。
【００２２】
例えば、電源部５からセルフパワーが供給されていれば発光素子（発光ダイオード、ＬＥＤ）や表示ランプなどの報知手段４により、セルフパワーで動作中である旨を報知する一方、セルフパワーの供給がなくＵＳＢケーブルＣに接続されていれば報知手段４により、バスパワーで動作中である旨を報知し、さらにＵＳＢケーブルＣを介して通信中であれば態様の異なるＬＥＤ表示を行う。また、ＬＣＤパネルに「バスパワー供給中」や、「セルフパワー未供給。読取、印字をする場合には電源を接続してください」などの表示を行ってもよい。
【００２３】
図２には、ＵＳＢの通信を行っているかどうかでＬＥＤの表示態様を異ならせている動作を示したフローチャートである。この例では、セルフパワーの供給があればセルフパワー用のＬＥＤを点灯させ、さらにＵＳＢにより通信が行われていればバスパワー用のＬＥＤを点滅させ、単に接続されている（電力供給を受けている）だけであれば点灯させるように動作する（ステップ１０１〜１０６）。
【００２４】
このようにセルフパワー／バスパワーの動作状態を報知するようにすれば、利用者は報知手段４による表示を見て、セルフパワーによる動作かバスパワーによる動作かを視覚的に瞬時に判断することができ、スキャナ読取やプリンタ出力をしたいときにセルフパワーが供給されていなくても、コンセントに接続するなど、即座に機器に対してセルフパワーを供給することができる。これにより、バスパワー動作時に読取や印字ができないことにより故障と誤判断してしまうことがない。
【００２５】
また、ＵＳＢにより通信中かどうかも判断しているため、より詳しい状況を把握することができる。
【００２６】
図３は、２色の発光素子を報知手段として利用した電力供給状態報知の他例を示す回路図である。発光素子として、赤色と緑色の発光ダイオードを使用する。また図４には、セルフパワー／バスパワーの判別表を示している。
【００２７】
この構成では、セルフパワーには赤色発光ダイオード（ＬＥＤ  Ｒ）４ａを接続し、Ｖバス端子Ｖには緑色発光ダイオード（ＬＥＤ  Ｇ）４ｂを接続することにより、電源供給状態を判別するようにしている。この構成によれば、セルフパワーが供給されていれば、赤色発光ダイオード４ａが点灯し、そのときＵＳＢケーブルも接続されていれば緑色発光ダイオード４ｂも点灯し、その結果、オレンジ色が発光する。また、セルフパワーが供給されていなければ、緑色発光ダイオード４ｂの緑色のみが発光する。
【００２８】
このように、２色の発光ダイオードを使用すれば、いずれの電力で動作中であるかを容易に判別できる電子機器を、簡易な回路構成で実現することができる。
【００２９】
図５は、電力供給状態の報知例を示したものである。この報知手段は、発光ダイオードに対して覆うようにした、樹脂等で形成されたＵＳＢアイコン形状の透光部４ｃを設けている。つまり、この透光部４ｃを介して発する光の色や発光態様により、いずれの電力で動作中であるか、さらにはＵＳＢの通信状態を判断できるようになっている。
【図面の簡単な説明】
【００３０】
【図１】本発明の電子機器の要部構成を示すブロック図
【図２】本発明の電子機器の基本動作を示すフローチャート
【図３】本発明の電子機器の回路構成図
【図４】セルフパワー動作／バスパワー動作パターン表
【図５】報知手段の例示であるアイコン表示
【符号の説明】
【００３１】
１      判別手段
２      ＵＳＢコントローラ
３      ＵＳＢコネクタ
４      報知手段
４ａ      赤色発光ダイオード
４ｂ      緑色発光ダイオード
５      電源部
６      プリンタ部
７      スキャナ部
Ｃ      ＵＳＢケーブル
【図１】
2006059210.tif 000003
【図２】
2006059210.tif 000004
【図３】
2006059210.tif 000005
【図４】
2006059210.tif 000006
【図５】
2006059210.tif 000007